(57)【要約】【課題】建築物躯体の外面に対する仕上げ作業の作業性を向上させることができる登攀式足場装置を提供する。【解決手段】足場ユニットは内側垂直支柱１２と外側垂直支柱１３とこれらを連結する複数本の支持梁１４を有する複数の枠体１１により形成されている。足場ユニットには、相互に水平方向に隣り合う２つの支持梁１４に両端が着脱自在に係合する足場板が装着されるようになっている。足場ユニットにはそれぞれ建築物躯体３０に沿う水平方向の支持ピン２４が設けられた２つの支持金具２１が設けられており、連結棒材２５が支持ピン２４により支持金具２１に中央部分でピン結合されている。この連結棒材２５は、当接部材としての鋼材１８に外方端部が接触した状態のもとで内方端部が建築物躯体３０に締結される支持位置と、内側垂直支柱１２に沿う状態の起立位置との間に回動する。【選択図】図６
2008208556.tif 000002
【特許請求の範囲】
【請求項１】
建築物躯体側の内側垂直支柱、当該内側垂直支柱から前記建築物躯体に対して外側に離れる外側垂直支柱、および前記内側垂直支柱と前記外側垂直支柱とを連結する複数本の支持梁をそれぞれ有する複数の枠体を、相互に平行に配置した状態で連結することにより形成される足場ユニットと、
前記足場ユニットに前記内側垂直支柱の部分に相互に対向させてそれぞれ固定され、それぞれ前記建築物躯体に沿う水平方向の支持ピンが設けられた少なくとも２つの支持金具と、
それぞれ前記支持ピンにより前記支持金具に中央部分でピン結合され、前記外側垂直支柱に固定された当接部材に外方端部が接触した状態のもとで内方端部が前記建築物躯体に締結される支持位置と、前記内側垂直支柱に沿う状態の起立位置との間に回動する少なくとも２つの連結棒材とを有し、
それぞれの前記連結棒材を前記起立位置に設定した状態のもとで上層側に移動し得ることを特徴とする登攀式足場装置。
【請求項２】
請求項１記載の登攀式足場装置において、前記当接部材に噛み合う噛み合い位置と噛み合いを離脱する離反位置との間で回動するクランプアームをそれぞれの前記連結棒材の外方端部にアームピンによりピン結合し、前記連結棒材を前記支持位置に設定したときに前記クランプアームを前記当接部材に噛み合わせることを特徴とする登攀式足場装置。
【請求項３】
請求項１または２記載の登攀式足場装置において、それぞれの前記連結棒材が前記起立位置となったときにおける前記連結棒材の水平方向の重心位置を、前記支持ピンよりも前記外側垂直支柱側にずらすことを特徴とする登攀式足場装置。
【請求項４】
請求項２記載の登攀式足場装置において、それぞれの前記連結棒材が前記起立位置となるとともに前記クランプアームが前記離反位置となったときにおける前記クランプアームの重心位置を、前記アームピンよりも建築物躯体側であって前記アームピンよりも上側にずらすことを特徴とする登攀式足場装置。
【請求項５】
請求項１〜４のいずれか１項に記載の登攀式足場装置において、それぞれの前記連結棒材が前記起立位置となったときに、それぞれの前記連結棒材の少なくとも一部が前記内側垂直支柱に対して水平方向にオーバーラップすることを特徴とする登攀式足場装置。
【発明の詳細な説明】
【技術分野】
【０００１】
本発明は建築物を建造する際に建築物躯体の外側に配置され、建築作業に進行に伴って上層階側に移動されるようにした登攀式足場装置に関する。
【背景技術】
【０００２】
中層ないし高層のコンクリート構造の建築物を建造する際には、建築物躯体の外側に建築物外面に塗装作業等の種々の仕上げ作業を行うために足場装置が配置されており、仕上げ作業は作業者が足場装置に設けられた足場板の上で行われる。建築物の躯体構築作業は上層側に順次進行するので、足場装置は上層側の躯体構築作業が進行するに伴って順次上層階側にクレーンやホイスト等の上下動装置によって登攀移動される。
【０００３】
このような登攀式の足場装置としては、特許文献１に記載されるように、足場板が装着されるユニット枠体に建築物躯体に締結される締結具を取り付けるようにしたものがあり、さらに、特許文献２に記載されるように、足場板が装着される足場ユニットに建築物躯体に締結される棒状のブラケットをピンを中心に揺動自在に取り付けるようにしたものがある。
【特許文献１】特開２００３−１８４３０１号公報
【特許文献２】特開２００５−２４８５７４号公報
【発明の開示】
【発明が解決しようとする課題】
【０００４】
特許文献１に記載されるように、締結具をユニット枠体に建築物躯体に向けて突出させるように固定した場合には、足場装置を上層階側にクレーンやホイスト等の駆動手段によって登攀移動する際には、登攀移動時に締結具と建築物躯体との干渉を避けるために足場装置を建築物躯体から離す方向に水平移動させる必要がある。これに対し、特許文献２に記載されるように、棒状のブラケットをその外端部で足場ユニットに対しピンを中心に揺動自在に取り付け、建築物躯体の外面にブラケットの建築物側端部つまり内端部が係合するブラケット受けを突出させるようにすると、足場ユニットを下降移動させることにより、ブラケットをブラケット受けの２つのピンの間に取り付けることができるので、足場ユニットを上昇移動させる登攀時には足場ユニットを建築物躯体から離す方向に水平移動させることは不要となる。
【０００５】
しかしながら、ブラケットをブラケット受けに係合させて固定する際には、只単に足場ユニットを下降移動させるだけでは自動的にブラケットをブラケット受けの２本のピン間に係合させることができず、作業者が手作業でブラケットを操作する必要があり、重量の大きいブラケットを作業者が手動操作することは容易ではない。しかも、建築物躯体の外面に突出して設けられたブラケット受けにブラケットをその内端部で取り付けるようにしているので、内端部を足場ユニットから建築物躯体に向けて突出させる必要があり、ブラケット受けを外面に突出させなければならないこともあって、足場ユニットと建築物躯体の外面との間に大きな隙間を確保する必要がある。このため、足場ユニットに装着される足場板と建築物躯体との間の距離が大きくなり、作業者は隙間を避けて足場ユニットから建築物躯体に向けて身を乗り出して仕上げ作業を行う必要があり、作業性が悪いという問題点がある。しかも、足場ユニットを上層階側に上昇移動させる際には、ブラケットが外端部で揺動してしまうので、上昇移動が不安定となる。
【０００６】
本発明の目的は、建築物躯体の外面に対する仕上げ作業の作業性を向上させることができる登攀式足場装置を提供することにある。
【０００７】
本発明の他の目的は、建築物躯体に固定した状態のもとで足場板と建築物躯体との間の隙間を小さくすることができる登攀式足場装置を提供することにある。
【０００８】
本発明の他の目的は、安定して上層階側に移動させることができる登攀式足場装置を提供することにある。
【課題を解決するための手段】
【０００９】
本発明の登攀式足場装置は、建築物躯体側の内側垂直支柱、当該内側垂直支柱から前記建築物躯体に対して外側に離れる外側垂直支柱、および前記内側垂直支柱と前記外側垂直支柱とを連結する複数本の支持梁をそれぞれ有する複数の枠体を、相互に平行に配置した状態で連結することにより形成される足場ユニットと、前記足場ユニットに前記内側垂直支柱の部分に相互に対向させてそれぞれ固定され、それぞれ前記建築物躯体に沿う水平方向の支持ピンが設けられた少なくとも２つの支持金具と、それぞれ前記支持ピンにより前記支持金具に中央部分でピン結合され、前記外側垂直支柱に固定された当接部材に外方端部が接触した状態のもとで内方端部が前記建築物躯体に締結される支持位置と、前記内側垂直支柱に沿う状態の起立位置との間に回動する少なくとも２つの連結棒材とを有し、それぞれの前記連結棒材を前記起立位置に設定した状態のもとで上層側に移動し得ることを特徴とする。
【００１０】
本発明の登攀式足場装置は、前記当接部材に噛み合う噛み合い位置と噛み合いを離脱する離反位置との間で回動するクランプアームをそれぞれの前記連結棒材の外方端部にアームピンによりピン結合し、前記連結棒材を前記支持位置に設定したときに前記クランプアームを前記当接部材に噛み合わせることを特徴とする。
【００１１】
本発明の登攀式足場装置は、それぞれの前記連結棒材が前記起立位置となったときにおける前記連結棒材の水平方向の重心位置を、前記支持ピンよりも前記外側垂直支柱側にずらすことを特徴とする。
【００１２】
本発明の登攀式足場装置は、それぞれの前記連結棒材が前記起立位置となるとともに前記クランプアームが前記離反位置となったときにおける前記クランプアームの重心位置を、前記アームピンよりも建築物躯体側であって前記アームピンよりも上側にずらすことを特徴とする。
【００１３】
本発明の登攀式足場装置は、それぞれの前記連結棒材が前記起立位置となったときに、それぞれの前記連結棒材の少なくとも一部が前記内側垂直支柱に対して水平方向にオーバーラップすることを特徴とする。
【発明の効果】
【００１４】
本発明によれば、足場ユニットを建築物躯体に連結するための連結棒材がその中央部分で足場ユニットの内側垂直支柱にピン結合されているので、足場ユニットを建築物躯体の外側で上下方向に移動させる際には、連結棒材を起立位置にすることにより、足場ユニットを建築物から離反させる方向に移動させることなく、そのまま上下動することによって連結棒材と建築物躯体との干渉を避けて容易に移動させることができる。これにより、建築物躯体に対する仕上げ作業を能率的に行うことができる。
【発明を実施するための最良の形態】
【００１５】
図１は本発明の一実施の形態である登攀式足場装置を構成する１組の足場ユニットを示す概略斜視図である。
【００１６】
図１に示す足場ユニット１０は４つの枠体１１を有している。それぞれの枠体１１は内側垂直支柱１２とこれと平行な外側垂直支柱１３とを５本の支持梁１４により連結することにより形成されており、支持梁１４は、図１においては、最下段側から最上段に向けて符号（ａ）〜（ｅ）が付されている。足場ユニット１０を建築物躯体の外側に配置した状態のもとでは、内側垂直支柱１２は建築物躯体側に位置し、外側垂直支柱１３は建築物躯体に対しては内側垂直支柱１２よりも外側に位置することになる。
【００１７】
それぞれの垂直支柱１２，１３は長さが約7m70cmであり、幅寸法が6cm×6cmの角パイプにより形成されており、水平の支持梁１４は外径が約4.3cmの丸パイプにより形成されている。各支持梁１４の軸心間の距離は約190cmであり、内側垂直支柱１２と外側垂直支柱１３の軸心間の距離は約72cmである。ただし、これらの寸法は任意に設定することができる。
【００１８】
足場ユニット１０を構成する４つの枠体１１は相互に水平方向に隣り合う枠体１１を筋交い９により相互に連結することによって形成されており、足場ユニット１０における水平方向に隣り合う２つの支持梁１４には足場板１５が装着されている。足場板１５は布板とも言われ、特許文献１に記載されるように、長方形となっており、両端部には支持梁１４に着脱自在に係合するフックが設けられ、図１に示す場合には、最上段の支持梁１４ｅを除いてそれよりも下側の支持梁１４ａ〜１４ｄに足場板１５が装着されている。ただし、最上段の支持梁１４ｅに足場板１５を装着するようにしても良い。なお、足場板１５の長さは約180cmであるが、他の寸法の足場板１５を用いることができる。また、それぞれの枠体１１は筋交い９に加えて図示しない水平の棒材により相互に連結されている。
【００１９】
図１に示すように、足場ユニット１０には水平方向に伸びるＵ字型の１本の鋼材１６が固定されており、鋼材１６はそれぞれの内側垂直支柱１２の内側に位置させてそれぞれの内側垂直支柱１２に締結金具１７により固定されている。この鋼材１６に対してほぼ平行にそれぞれの外側垂直支柱１３の内側にはＵ字型の１本の鋼材１８が締結金具１９により固定されており、両方の鋼材１６，１８はほぼ同じ長さであり、足場ユニット１０の左右から図１に示すように僅かに突出している。なお、図１においては、締結金具１７，１９はそれぞれの鋼材１６，１８の両端部に対応させて２つずつ示されているが、それぞれの垂直支柱１２，１３に対応させて締結金具１７，１９を４つずつ取り付けるようにしても良い。
【００２０】
図１は４つの枠体１１を有する足場ユニット１０を示すが、任意の数の枠体１１により足場ユニット１０を形成することができる。また、図１に示すように、１組の足場ユニット１０を単独で建築物躯体の外側に配置するようにしても良く、２組の足場ユニット１０を上下に連結して建築物躯体の外側に配置するようにしても良い。
【００２１】
図２は図１に示された足場ユニット１０を右側から見た状態を拡大して示す足場ユニット１０の正面図であり、図３は図２の一部を拡大して示す足場ユニット１０の正面図であり、図４は図３におけるＡ−Ａ線に沿う断面図である。
【００２２】
鋼材１６の左右両端部には板状の支持金具２１が相互に対向して固定されており、支持金具２１は鋼材１６の外側に嵌め込まれるコの字形状の固定部材２２とこの固定部材２２に取り付けられるねじ部材２３とを有し、支持金具２１は固定部材２２に溶接されている。このように、支持金具２１は鋼材１６の両端部に２つ固定されているが、２つ以上の任意の数の支持金具２１を鋼材１６に固定するようにしても良い。支持金具２１には水平方向であって建築物躯体に沿う方向となる支持ピン２４が取り付けられており、この支持ピン２４には連結棒材２５が回動自在にピン結合されている。連結棒材２５は長さ方向の中央部分で支持ピン２４により支持金具２１にピン結合されており、図３は連結棒材２５が内側垂直支柱１２に沿う状態の起立位置となった状態を示す。
【００２３】
連結棒材２５は図４に示すように、Ｉ型の鋼材により形成されており、それぞれの固定部材２２に取り付けられる支持金具２１は連結棒材２５を挟むように２枚の板材により形成されている。連結棒材２５としては、３つないしそれ以上の支持金具２１を枠体１１に取り付けるようにし、それぞれの支持金具２１に連結棒材２５を設けるようにしても良く、足場ユニット１０に取り付けられる連結棒材２５の数は２つに限られない。
【００２４】
連結棒材２５は図３に示す状態から図３において時計方向に約９０度回動するようになっており、回動させて連結棒材２５をほぼ水平方向の支持位置とすると、連結棒材２５の図３における上部側が建築物躯体３０側に迫り出す内方端部となり、下側部分が建築物躯体３０に対して外側となって当接部材としての鋼材１８に接触する外方端部となる。連結棒材２５の外方端部側にはアームピン２６によりクランプアーム２７が回動自在にピン結合されている。クランプアーム２７は、連結棒材２５が水平位置となって当接部材としての鋼材１８に接触した状態のもとで当接部材としての鋼材１８に噛み合う噛み合い位置と、噛み合いを離脱する離反位置との間を回動する。
【００２５】
図５は連結棒材がほぼ水平状態となるとともにクランプアーム２７が離反位置となった状態を示す足場ユニット１０の正面図であり、図６は連結棒材がほぼ水平状態となった状態のもとでクランプアーム２７が当接部材としての鋼材１８に噛み合った状態を示す正面図である。
【００２６】
図３に示すように、連結棒材２５を起立位置とした状態のもとでは足場ユニット１０をクレーンやホイスト等の図示しない上下動装置によって上下方向に移動させることができる。図３に示すように、連結棒材２５の重心Ｇａは、連結棒材２５の長さをＬとし、幅をＷとすると、長さ方向および幅方向の中心となっており（Ｌ／２，Ｗ／２）、図３に示すように連結棒材２５を起立位置とした状態のもとでは、支持ピン２４は重心Ｇａよりも建築物躯体３０側になるとともに重心Ｇａよりも下側となっている。つまり、重心Ｇａは支持ピン２４よりも外側垂直支柱１３側にずれるとともに支持ピン２４よりも僅かに上側となっている。したがって、連結棒材２５を起立位置とした状態のもとでは、連結棒材２５は鋼材１６に向かう方向に倒れて鋼材１６に接触するのでその状態で起立位置が保持されることになる。これにより、起立位置の状態で足場ユニット１０を上下動装置によって上下移動させても、連結棒材２５は建築物躯体３０側に回動することなく、起立位置を保持することになる。
【００２７】
このように、連結棒材２５が起立位置となると、図３に示すように連結棒材２５は内側垂直支柱１２に部分的に水平方向にオーバーラップつまり重なった状態となり、起立位置となったときには、連結棒材２５の建築物躯体３０側に突出する長さは連結棒材２５の幅寸法Ｗよりも短くすることができる。図３においては内側垂直支柱１２の破線で示す部分が連結棒材２５に対してオーバーラップしている。
【００２８】
クランプアーム２７の基端部には重り２８が設けられており、クランプアーム２７の重心Ｇｂは、図３に示すように連結棒材２５が起立位置となったときにアームピン２６よりも建築物躯体３０側であってアームピン２６よりも上側となるようにずれている。したがって、連結棒材２５が起立位置となっているときには、クランプアーム２７は離反位置を保持することになる。
【００２９】
足場ユニット１０を建築物躯体に取り付けるには、クレーンなどの上下動装置によって足場ユニット１０を所定の高さに設定した状態のもとで、図５に示すように、連結棒材２５を時計方向に約９０度回動させてほぼ水平の支持位置の状態とし、連結棒材２５の外方端部が当接部材としての鋼材１８に接触した状態とする。この回動作業は、重心Ｇａの位置が支持ピン２４の位置に対して僅かにずれた位置となっているので、作業者には大きな荷重が加わらずに作業者は容易に手作業で行うことができる。このようにして連結棒材２５がほぼ水平になった状態のもとでアンカーボルト３１を連結棒材２５の内側端部に貫通させて建築物躯体３０に連結棒材２５を締結する。これにより、連結棒材２５は建築物躯体３０に締結され、足場ユニット１０はその上端部の左右に設けられた２つの連結棒材２５により建築物躯体３０に固定される。連結棒材２５を図３に示す起立位置から図５に水平位置まで回動させる過程では、クランプアーム２７の重心Ｇｂはアームピン２６よりも図５において右側つまり建築物躯体３０側となるので、クランプアーム２７は離反位置を保持することになる。
【００３０】
図５に示すように、連結棒材２５の外方端部が鋼材１８の下面側に接触した状態とすると、足場ユニット１０の荷重は２本の鋼材１６，１８の部分で連結棒材２５に支持されるので、足場ユニット１０は確実に連結棒材２５を介して建築物躯体３０に支持されることになるが、足場ユニット１０の取付安全性をより高めるために、クランプアーム２７を図５に示す離反位置から図６に示す噛み合い位置つまりクランプ位置に回動させてクランプアーム２７を鋼材１８に噛み合わせる。この回動作業は、クランプアーム２７の重心Ｇｂの位置がアームピン２６の位置に対して僅かにずれた位置となっているので、作業者には大きな負荷が加わらずに容易に手作業で行うことができる。
【００３１】
上述した登攀式足場装置を用いて建築物外面に対する塗装作業等の仕上げ作業を行う場合には、建築物の所定階数分が建築された状態のもとで、足場ユニット１０をクレーン等により持ち上げて建築物躯体３０の外側に吊り下げた状態のもとで、図３に示すように、建築物躯体３０の床部よりも支持金具２１が床部よりもやや高い位置となるように足場ユニット１０を位置決めする。この状態のもとで、起立位置の連結棒材２５を図５に示す支持位置まで約９０度時計方向に回動する。これにより、連結棒材２５の外方端部は当接部材としての鋼材１８の下面に接触することになる。図３に示す起立位置から図５に示す支持位置まで連結棒材２５を回動させるときには、クランプアーム２７はアームピン２６と重心Ｇｂの位置関係から離反位置を保持することになる。
【００３２】
図５に示すように連結棒材２５を支持位置とした状態のもとで、アンカーボルト３１により連結棒材２５の内方端部を建築物躯体３０の床部に締結する。これにより、足場ユニット１０は２本の連結棒材２５により建築物躯体３０に固定されることになり、足場ユニット１０の荷重は２本の連結棒材２５を介して建築物躯体３０により支持される。この状態のもとで、クランプアーム２７を図５に示す離反位置から図６に示す噛み合い位置に回動させると、クランプアーム２７は当接部材としての鋼材１８に噛み合った状態となる。この状態のもとで、作業者が足場板１５の上で仕上げ作業を行うことができる。
【００３３】
図５および図６に示すように、連結棒材２５を支持位置にまで回動させたときに、連結棒材２５がほぼ水平状態とならないときには、スペーサ３２に代えてジャッキを配置し、連結棒材２５の図５および図６における右端部と建築物躯体３０との間の上下間距離を調整することによって連結棒材２５をほぼ水平状態に設定することができる。
【００３４】
建築作業の進行に伴って足場ユニット１０を上昇移動させるには、クレーン等により足場ユニット１０は持ち上げられることになる。その際には、足場ユニット１０をクレーン等で支持した状態のもとで、アンカーボルト３１を取り外すとともに、クランプアーム２７を離反位置にまで回動した後に、連結棒材２５を水平位置から起立位置まで回動させる。連結棒材２５を起立位置まで回動させると、連結棒材２５の一部は足場ユニット１０内に入り込んで内側垂直支柱１２とオーバーラップした状態となるので、そのままクレーン等で足場ユニット１０を上昇移動させるだけで、連結棒材２５と建築物躯体３０との干渉を避けることができる。
【００３５】
図７は２台の足場ユニットを上下に連結して建築物の外側に配置した状態を示す概略図であり、例えば、下側の足場ユニット１０ａを建築物躯体３０の外側に配置した状態のもとで、それよりも上層階側の建築が進行したときには、足場ユニット１０ａの上側に他の足場ユニット１０ｂをクレーン等の上下動装置によって持ち上げて連結する。図７においては上側の足場ユニット１０ｂに設けられた連結棒材２５により上層階側の建築物躯体３０に足場ユニット１０ｂを締結するようにしており、足場ユニット１０ｂの連結棒材２５は、足場ユニット１０ａの連結棒材２５よりも枠体１１に対しては下側に取り付けられている。このように、連結棒材２５は枠体１１の上下方向任意の位置に取り付けることができる。図７においては、連結棒材２５により足場ユニット１０ａ，１０ｂが連結される建築物躯体３０以外の箇所における建築物躯体３０と足場ユニット１０ａ，１０ｂとの間には、ジョイント金具４１により枠体１１と建築物躯体３０との間の距離が設定されるとともに、枠体１１と建築物躯体３０とが連結されている。
【００３６】
上下２段に足場ユニット１０ａ，１０ｂを連結して建築物躯体３０の外側に配置する場合には、上段側の足場ユニット１０ｂについては、この足場ユニット１０ｂに対応する建築物躯体３０の床壁が完成するまでは、足場ユニット１０ｂをクレーン等により吊り下げた状態として、ジョイント金具４１のみにより建築物躯体に連結し、対応する建築物躯体３０が完成した後に、連結棒材２５により足場ユニット１０ｂを建築物躯体３０に締結するようにしても良い。また、１つの足場ユニットに上下にずらして複数の連結棒材２５を取り付けるようにしても良い。
【００３７】
本発明は実施の形態に限定されるものではなく、その要旨を逸脱しない範囲で種々変更可能である。例えば、連結棒材２５の内方端部と建築物躯体３０との締結は、アンカーボルト３１に限られず、他の締結部材を用いるようにしても良い。また、鋼材１８はクランプアーム２７が噛み合う当接部材として設けられており、１本の鋼材１８により当接部材が形成されているが、短い寸法のブロック状の部材によりそれぞれのクランプアーム２７が噛み合う当接部材を形成するようにしても良い。
【図面の簡単な説明】
【００３８】
【図１】本発明の一実施の形態である登攀式足場装置を構成する１組の足場ユニットを示す概略斜視図である。
【図２】図１に示された足場ユニットを右側から見た状態を拡大して示す足場ユニットの正面図である。
【図３】図２の一部を拡大して示す足場ユニットの正面図である。
【図４】図３におけるＡ−Ａ線に沿う断面図である。
【図５】連結棒材がほぼ水平状態となるとともにクランプアームが離反位置となった状態を示す足場ユニットの正面図である。
【図６】連結棒材がほぼ水平状態となった状態のもとでクランプアームが当接部材としての鋼材に噛み合った状態を示す正面図である。
【図７】２台の足場ユニットを上下に連結して建築物の外側に配置した状態を示す概略図である。
【符号の説明】
【００３９】
１０      足場ユニット
１１      枠体
１２      内側垂直支柱
１３      外側垂直支柱
１４      支持梁
１５      足場板
１６      鋼材
１８      鋼材（当接部材）
２１      支持金具
２２      固定部材
２３      ねじ部材
２４      支持ピン
２５      連結棒材
２６      アームピン
２７      クランプアーム
３０      建築物躯体
【図１】
2008208556.tif 000003
【図２】
2008208556.tif 000004
【図３】
2008208556.tif 000005
【図４】
2008208556.tif 000006
【図５】
2008208556.tif 000007
【図６】
2008208556.tif 000008
【図７】
2008208556.tif 000009